(57)【要約】本発明は、操作の内容を、より好適に確認できるようにする通信システムおよび方法、情報処理端末および方法、情報処理装置および方法に関する。ＰＤＡ１１には、ＰＤＡ１１の特徴を表わす特徴情報として、端末の外観画像が用意されている。また、ＰＤＡ１１には、パーソナルコンピュータ１との間で行われる所定の無線通信を確立するための通信確立情報が用意されており、内蔵するリーダライタ１２から、パーソナルコンピュータ１のリーダライタ２に対して、それらの情報が送信される。パーソナルコンピュータ１は、通信確立情報に基づいて、ＰＤＡ１１との間での無線通信を確立させるとともに、その確立処理を行っている間、特徴情報に基づいて、ＰＤＡ１１の外観画像を表示部３に表示させる。本発明は、パーソナルコンピュータやＰＤＡなどの各種の情報処理装置に適用することができる。
2003038629.tif 000002
【特許請求の範囲】
【請求項１】
情報処理端末と情報処理装置からなる通信システムにおいて、
前記情報処理端末は、
近接された前記情報処理装置と、電磁波を介して第１の無線通信を行う第１の無線通信手段と、
前記情報処理装置と第２の無線通信を行う第２の無線通信手段と
を備え、
前記第１の無線通信手段は、自分自身の特徴を表わす端末特徴情報、および前記第２の無線通信により送信する所定のデータの特徴を表わすデータ特徴情報のうちの少なくとも一方と、前記第２の無線通信を前記情報処理装置との間で確立するための通信確立情報を前記情報処理装置に送信し、
前記第２の無線通信手段は、前記情報処理装置との間で前記第２の無線通信を確立する
ことを特徴とし、
前記情報処理装置は、
近接された前記情報処理端末と、電磁波を介して前記第１の無線通信を行う第３の無線通信手段と、
前記情報処理端末と前記第２の無線通信を行う第４の無線通信手段と、
前記第３の無線通信手段により行われる前記第１の無線通信により、前記情報処理端末から取得された所定の情報を出力する出力手段と
を備え、
前記第３の無線通信手段は、前記端末特徴情報、および前記データ特徴情報のうちの少なくとも一方と、前記通信確立情報を、前記第１の無線通信により前記情報処理端末から取得し、
前記第４の無線通信手段は、前記第３の無線通信手段により取得された前記通信確立情報に基づいて、前記情報処理端末との間で前記第２の無線通信を確立し、
前記出力手段は、前記第３の無線通信手段により取得された前記端末特徴情報、または前記データ特徴情報を出力する
ことを特徴とする通信システム。
【請求項２】
情報処理端末と情報処理装置からなる通信システムの通信方法において、
前記情報処理端末の情報処理方法は、
近接された前記情報処理装置と、電磁波を介して第１の無線通信を行い、
前記情報処理装置と第２の無線通信を行い、
自分自身の特徴を表わす端末特徴情報、および前記第２の無線通信により送信する所定のデータの特徴を表わすデータ特徴情報のうちの少なくとも一方と、前記第２の無線通信を前記情報処理装置との間で確立するための通信確立情報を前記情報処理装置に送信し、
前記情報処理装置との間で前記第２の無線通信を確立する
ことを特徴とし、
前記情報処理装置の情報処理方法は、
近接された前記情報処理端末と、電磁波を介して前記第１の無線通信を行い、
前記情報処理端末と前記第２の無線通信を行い、
前記第１の無線通信により、前記情報処理端末から取得された所定の情報を出力し、
前記端末特徴情報、および前記データ特徴情報のうちの少なくとも一方と、前記通信確立情報を前記第１の無線通信により前記情報処理端末から取得し、
取得された前記通信確立情報に基づいて、前記情報処理端末との間で前記第２の無線通信を確立し、
取得された前記端末特徴情報、または前記データ特徴情報を出力する
ことを特徴とする通信方法。
【請求項３】
近接された情報処理装置と、電磁波を介して第１の無線通信を行う第１の無線通信手段と、
前記情報処理装置と第２の無線通信を行う第２の無線通信手段と
を備え、
前記第１の無線通信手段は、自分自身の特徴を表わす第１の端末特徴情報、および前記第２の無線通信により送信する所定のデータの特徴を表わすデータ特徴情報のうちの少なくとも一方と、前記第２の無線通信を前記情報処理装置との間で確立するための通信確立情報を前記情報処理装置に送信し、
前記第２の無線通信手段は、前記情報処理装置との間で前記第２の無線通信を確立する
ことを特徴とする情報処理端末。
【請求項４】
前記第２の無線通信により送信する前記所定のデータが選択されたとき、前記データ特徴情報を生成する生成手段をさらに備える
ことを特徴とする請求の範囲第３項に記載の情報処理端末。
【請求項５】
前記第２の無線通信手段は、前記第２の無線通信を確立した場合、
前記第１の端末特徴情報が前記情報処理装置に送信されているときには、前記第１の端末特徴情報よりもデータ量の大きい第２の端末特徴情報を、前記第２の無線通信により前記情報処理装置に送信し、
前記データ特徴情報が前記情報処理装置に送信されているときには、前記所定のデータを前記第２の無線通信により前記情報処理装置に送信する
ことを特徴とする請求の範囲第３項に記載の情報処理端末。
【請求項６】
前記第１の端末特徴情報には、前記情報処理端末の外観を表わす画像が少なくとも含まれており、
前記データ特徴情報には、前記所定のデータのデータ形式を識別する情報が少なくとも含まれている
ことを特徴とする請求の範囲第３項に記載の情報処理端末。
【請求項７】
近接された情報処理装置と、電磁波を介して第１の無線通信を行い、
前記情報処理装置と第２の無線通信を行い、
前記第１の無線通信により、自分自身の特徴を表わす端末特徴情報、および前記第２の無線通信により送信する所定のデータの特徴を表わすデータ特徴情報のうちの少なくとも一方と、前記第２の無線通信を前記情報処理装置との間で確立するための通信確立情報を前記情報処理装置に送信し、
前記情報処理装置との間で前記第２の無線通信を確立する
ことを特徴とする情報処理方法。
【請求項８】
近接された情報処理装置と、電磁波を介して行われる第１の無線通信を制御し、
前記情報処理装置と行われる第２の無線通信を制御し、
前記第１の無線通信による、自分自身の特徴を表わす端末特徴情報、および前記第２の無線通信により送信する所定のデータの特徴を表わすデータ特徴情報のうちの少なくとも一方と、前記第２の無線通信を前記情報処理装置との間で確立するための通信確立情報の送信を制御し、
前記情報処理装置との間での前記第２の無線通信の確立を制御する
ことをコンピュータに実行させるプログラム。
【請求項９】
近接された情報処理端末と、電磁波を介して第１の無線通信を行う第１の無線通信手段と、
前記情報処理端末と第２の無線通信を行う第２の無線通信手段と、
前記第１の無線通信手段により行われる前記第１の無線通信により、前記情報処理端末から取得された所定の情報を出力する出力手段と
を備え、
前記第１の無線通信手段は、前記情報処理端末の特徴を表わす第４の端末特徴情報、および前記第２の無線通信により前記情報処理端末から送信されてくる所定のデータの特徴を表わすデータ特徴情報のうちの少なくとも一方と、前記情報処理端末との間で前記第２の無線通信を確立するための通信確立情報を、前記第１の無線通信により前記情報処理端末から取得し、
前記第２の無線通信手段は、前記第１の無線通信手段により取得された前記通信確立情報に基づいて、前記情報処理端末との間で前記第２の無線通信を確立し、
前記出力手段は、前記第１の無線通信手段により取得された前記第１の端末特徴情報、または前記データ特徴情報を出力する
ことを特徴とする情報処理装置。
【請求項１０】
前記第２の無線通信手段は、前記情報処理端末から、前記第１の端末特徴情報よりもデータ量の大きい第２の端末特徴情報が前記第２の無線通信により送信されてきたとき、それを取得し、
前記出力手段は、前記第２の無線通信手段により前記第２の端末特徴情報が取得されたとき、前記第１の端末特徴情報に換えて、前記第２の端末特徴情報を出力する
ことを特徴とする請求の範囲第９項に記載の情報処理装置。
【請求項１１】
前記第２の無線通信手段は、前記情報処理端末から、前記所定のデータが送信されてきたとき、それを取得し、
前記出力手段は、第２の無線通信手段により前記所定のデータが取得されたとき、前記所定のデータを出力する
ことを特徴とする請求の範囲第９項に記載の情報処理装置。
【請求項１２】
近接された情報処理端末と、電磁波を介して第１の無線通信を行い、
前記情報処理端末と第２の無線通信を行い、
前記第１の無線通信により、前記情報処理端末から取得された所定の情報を出力し、
前記情報処理端末の特徴を表わす端末特徴情報、および前記第２の無線通信により前記情報処理端末から送信されてくる所定のデータの特徴を表わすデータ特徴情報のうちの少なくとも一方と、前記情報処理端末との間で前記第２の無線通信を確立するための通信確立情報を、前記第１の無線通信により前記情報処理端末から取得し、
取得された前記通信確立情報に基づいて、前記情報処理端末との間で前記第２の無線通信を確立し、
取得された前記端末特徴情報、または前記データ特徴情報を出力する
ことを特徴とする情報処理方法。
【請求項１３】
近接された情報処理端末と、電磁波を介して行われる第１の無線通信を制御し、
前記情報処理端末と行われる第２の無線通信を制御し、
前記第１の無線通信により、前記情報処理端末から取得された所定の情報の出力を制御し、
前記情報処理端末の特徴を表わす端末特徴情報、および前記第２の無線通信により前記情報処理端末から送信されてくる所定のデータの特徴を表わすデータ特徴情報のうちの少なくとも一方と、前記情報処理端末との間で前記第２の無線通信を確立するための通信確立情報を、前記第１の無線通信により前記情報処理端末から取得することを制御し、
取得された前記通信確立情報に基づいて、前記情報処理端末との間の前記第２の無線通信の確立を制御し、
取得された前記端末特徴情報、または前記データ特徴情報の出力を制御する
ことをコンピュータに実行させるプログラム。
【発明の詳細な説明】
技術分野
本発明は、通信システムおよび方法、情報処理端末および方法、情報処理装置および方法に関し、特に、操作の内容を、より好適に確認できるようにする通信システムおよび方法、情報処理端末および方法、情報処理装置および方法に関する。
背景技術
近年、無線通信の規格として、例えば、ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）８０２．１１ｂ，ＩＥＥＥ８０２．１１ａなどの無線ＬＡＮ、或いはブルートゥース（Ｂｌｕｅｔｏｏｔｈ（登録商標））などが注目され、様々な対応機器が開発、販売されている。
しかしながら、これらの無線通信においては、例えば、機器の検出、同期の確立、および認証などのために、通信を開始するための所定の操作を行った後、実際に通信が開始されるまでに時間が懸かってしまうという課題があった。
また、通信を開始するための準備が行われている時間が予想以上に長く、いずれの応答（フィードバック）もされない場合、ユーザは、自らが行った操作に対して不安を感じてしまうという課題があった。例えば、ユーザは、通信相手の選択を誤った場合や、送信するデータの選択を誤った場合であっても、実際に通信が開始されるまで、それを確認することができない。
発明の開示
本発明はこのような状況に鑑みてなされたものであり、操作の内容を、より好適に確認できるようにしたものである。
本発明の通信システムを構成する情報処理端末は、近接された情報処理装置と、電磁波を介して第１の無線通信を行う第１の無線通信手段と、情報処理装置と第２の無線通信を行う第２の無線通信手段とを備え、第１の無線通信手段は、自分自身の特徴を表わす端末特徴情報、および第２の無線通信により送信する所定のデータの特徴を表わすデータ特徴情報のうちの少なくとも一方と、第２の無線通信を情報処理装置との間で確立するための通信確立情報を情報処理装置に送信し、第２の無線通信手段は、情報処理装置との間で第２の無線通信を確立することを特徴とする。
また、情報処理装置は、近接された情報処理端末と、電磁波を介して第１の無線通信を行う第３の無線通信手段と、情報処理端末と第２の無線通信を行う第４の無線通信手段と、第３の無線通信手段により行われる第１の無線通信により、情報処理端末から取得された所定の情報を出力する出力手段とを備え、第３の無線通信手段は、端末特徴情報、およびデータ特徴情報のうちの少なくとも一方と、通信確立情報を、第１の無線通信により情報処理端末から取得し、第４の無線通信手段は、第３の無線通信手段により取得された通信確立情報に基づいて、情報処理端末との間で第２の無線通信を確立し、出力手段は、第３の無線通信手段により取得された端末特徴情報、またはデータ特徴情報を出力することを特徴とする。
本発明の通信システムの通信方法は、近接された情報処理装置と、電磁波を介して第１の無線通信を行い、情報処理装置と第２の無線通信を行い、自分自身の特徴を表わす端末特徴情報、および第２の無線通信により送信する所定のデータの特徴を表わすデータ特徴情報のうちの少なくとも一方と、第２の無線通信を情報処理装置との間で確立するための通信確立情報を情報処理装置に送信し、情報処理装置との間で第２の無線通信を確立することを特徴とする。また、近接された情報処理端末と、電磁波を介して第１の無線通信を行い、情報処理端末と第２の無線通信を行い、第１の無線通信により、情報処理端末から取得された所定の情報を出力し、端末特徴情報、およびデータ特徴情報のうちの少なくとも一方と、通信確立情報を第１の無線通信により情報処理端末から取得し、取得された通信確立情報に基づいて、情報処理端末との間で第２の無線通信を確立し、取得された端末特徴情報、またはデータ特徴情報を出力することを特徴とする。
本発明の情報処理端末は、近接された情報処理装置と、電磁波を介して第１の無線通信を行う第１の無線通信手段と、情報処理装置と第２の無線通信を行う第２の無線通信手段とを備え、第１の無線通信手段は、自分自身の特徴を表わす第１の端末特徴情報、および第２の無線通信により送信する所定のデータの特徴を表わすデータ特徴情報のうちの少なくとも一方と、第２の無線通信を情報処理装置との間で確立するための通信確立情報を情報処理装置に送信し、第２の無線通信手段は、情報処理装置との間で第２の無線通信を確立することを特徴とする。
第２の無線通信により送信する所定のデータが選択されたとき、データ特徴情報を生成する生成手段をさらに備えるようにすることができる。
第２の無線通信手段は、第２の無線通信を確立した場合、第１の端末特徴情報が情報処理装置に送信されているときには、第１の端末特徴情報よりもデータ量の大きい第２の端末特徴情報を、第２の無線通信により情報処理装置に送信し、データ特徴情報が情報処理装置に送信されているときには、所定のデータを第２の無線通信により情報処理装置に送信するようにすることができる。
第１の端末特徴情報には、情報処理端末の外観を表わす画像が少なくとも含まれており、データ特徴情報には、所定のデータのデータ形式を識別する情報が少なくとも含まれているようにすることができる。
本発明の情報処理端末の情報処理方法は、近接された情報処理装置と、電磁波を介して第１の無線通信を行い、情報処理装置と第２の無線通信を行い、第１の無線通信により、自分自身の特徴を表わす端末特徴情報、および第２の無線通信により送信する所定のデータの特徴を表わすデータ特徴情報のうちの少なくとも一方と、第２の無線通信を情報処理装置との間で確立するための通信確立情報を情報処理装置に送信し、情報処理装置との間で第２の無線通信を確立することを特徴とする。
本発明の第１のプログラムは、近接された情報処理装置と、電磁波を介して行われる第１の無線通信を制御し、情報処理装置と行われる第２の無線通信を制御し、第１の無線通信による、自分自身の特徴を表わす端末特徴情報、および第２の無線通信により送信する所定のデータの特徴を表わすデータ特徴情報のうちの少なくとも一方と、第２の無線通信を情報処理装置との間で確立するための通信確立情報の送信を制御し、情報処理装置との間での第２の無線通信の確立を制御することをコンピュータに実行させる特徴とする。
本発明の情報処理装置は、近接された情報処理端末と、電磁波を介して第１の無線通信を行う第１の無線通信手段と、情報処理端末と第２の無線通信を行う第２の無線通信手段と、第１の無線通信手段により行われる第１の無線通信により、情報処理端末から取得された所定の情報を出力する出力手段とを備え、第１の無線通信手段は、情報処理端末の特徴を表わす第１の端末特徴情報、および第２の無線通信により情報処理端末から送信されてくる所定のデータの特徴を表わすデータ特徴情報のうちの少なくとも一方と、情報処理端末との間で第２の無線通信を確立するための通信確立情報を、第１の無線通信により情報処理端末から取得し、第２の無線通信手段は、第１の無線通信手段により取得された通信確立情報に基づいて、情報処理端末との間で第２の無線通信を確立し、出力手段は、第１の無線通信手段により取得された第１の端末特徴情報、またはデータ特徴情報を出力することを特徴とする。
第２の無線通信手段は、情報処理端末から、第１の端末特徴情報よりもデータ量の大きい第２の端末特徴情報が第２の無線通信により送信されてきたとき、それを取得し、出力手段は、第２の無線通信手段により第２の端末特徴情報が取得されたとき、第１の端末特徴情報に換えて、第２の端末特徴情報を出力するようにすることができる。
第２の無線通信手段は、情報処理端末から、所定のデータが送信されてきたとき、それを取得し、出力手段は、第２の無線通信手段により所定のデータが取得されたとき、所定のデータを出力するようにすることができる。
本発明の情報処理装置の情報処理方法は、近接された情報処理端末と、電磁波を介して第１の無線通信を行い、情報処理端末と第２の無線通信を行い、第１の無線通信により、情報処理端末から取得された所定の情報を出力し、情報処理端末の特徴を表わす端末特徴情報、および第２の無線通信により情報処理端末から送信されてくる所定のデータの特徴を表わすデータ特徴情報のうちの少なくとも一方と、情報処理端末との間で第２の無線通信を確立するための通信確立情報を、第１の無線通信により情報処理端末から取得し、取得された通信確立情報に基づいて、情報処理端末との間で第２の無線通信を確立し、取得された端末特徴情報、またはデータ特徴情報を出力することを特徴とする。
本発明の第２のプログラムは、近接された情報処理端末と、電磁波を介して行われる第１の無線通信を制御し、情報処理端末と行われる第２の無線通信を制御し、第１の無線通信により、情報処理端末から取得された所定の情報の出力を制御し、情報処理端末の特徴を表わす端末特徴情報、および第２の無線通信により情報処理端末から送信されてくる所定のデータの特徴を表わすデータ特徴情報のうちの少なくとも一方と、情報処理端末との間で第２の無線通信を確立するための通信確立情報を、第１の無線通信により情報処理端末から取得することを制御し、取得された通信確立情報に基づいて、情報処理端末との間の第２の無線通信の確立を制御し、取得された端末特徴情報、またはデータ特徴情報の出力を制御することをコンピュータに実行させることを特徴とする。
本発明の通信システムおよび方法においては、情報処理端末により、近接された情報処理装置と、電磁波を介して第１の無線通信が行われ、情報処理装置と第２の無線通信が行われる。また、自分自身の特徴を表わす端末特徴情報、および第２の無線通信により送信する所定のデータの特徴を表わすデータ特徴情報のうちの少なくとも一方と、第２の無線通信を情報処理装置との間で確立するための通信確立情報が第１の無線通信により情報処理装置に送信され、情報処理装置との間で第２の無線通信が確立される。また、情報処理装置により、近接された情報処理端末と、電磁波を介して第１の無線通信が行われ、情報処理端末と第２の無線通信が行われ、第１の無線通信により、情報処理端末から取得された所定の情報が出力される。さらに、端末特徴情報、およびデータ特徴情報のうちの少なくとも一方と、通信確立情報が、第１の無線通信により情報処理端末から取得され、取得された通信確立情報に基づいて、情報処理端末との間で第２の無線通信が確立され、取得された端末特徴情報、またはデータ特徴情報が出力される。
本発明の情報処理端末および方法、並びにプログラムにおいては、近接された情報処理装置と、電磁波を介して第１の無線通信が行われ、情報処理装置と第２の無線通信が行われる。また、自分自身の特徴を表わす第１の端末特徴情報、および第２の無線通信により送信する所定のデータの特徴を表わすデータ特徴情報のうちの少なくとも一方と、第２の無線通信を情報処理装置との間で確立するための通信確立情報が第１の無線通信により情報処理装置に送信され、情報処理装置との間で第２の無線通信が確立される。
本発明の情報処理装置および方法、並びにプログラムにおいては、近接された情報処理端末と、電磁波を介して第１の無線通信が行われ、情報処理端末と第２の無線通信が行われ、第１の無線通信により、情報処理端末から取得された所定の情報が出力される。また、情報処理端末の特徴を表わす第１の端末特徴情報、および第２の無線通信により情報処理端末から送信されてくる所定のデータの特徴を表わすデータ特徴情報のうちの少なくとも一方と、情報処理端末との間で第２の無線通信を確立するための通信確立情報が、第１の無線通信により情報処理端末から取得され、取得された通信確立情報に基づいて、情報処理端末との間で第２の無線通信が確立され、取得された第１の端末特徴情報、またはデータ特徴情報が出力される。
発明を実施するための最良の形態
図１は、本発明を適用した通信システムの構成例を示す図である。
パーソナルコンピュータ１、およびＰＤＡ（Ｐｅｒｓｏｎａｌ  Ｄｉｇｉｔａｌ  Ａｓｓｉｓｔａｎｔｓ）１１は、例えば、ブルートゥース、ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）８０２．１１ｂ、およびＩＥＥＥ８０２．１１ａ（無線ＬＡＮ（Ｌｏｃａｌ  Ａｒｅａ  Ｎｅｔｗｏｒｋ））などに準拠した通信を行うことができる無線通信部をそれぞれ内蔵しており、図の実線矢印で示されるように、それらの無線通信により、相互に各種のデータを送受信できるようになされている。
また、パーソナルコンピュータ１とＰＤＡ１１は、近接されたとき、非接触により、各種の情報の読み出し、または、書き込みを行うことが可能なリーダライタ２、およびリーダライタ１２をそれぞれ内蔵している。
従って、パーソナルコンピュータ１とＰＤＡ１１は、それぞれ、ブルートゥースや無線ＬＡＮなどによる無線通信だけでなく、図の一点鎖線で示されるように、リーダライタ２、またはリーダライタ１２から輻射される電磁波を介して通信を行うことができる（以下、パーソナルコンピュータ１とＰＤＡ１１の間で行われる、リーダライタによる通信以外の無線通信、すなわち、ブルートゥースや無線ＬＡＮなどの無線通信を個々に区別する必要がない場合、単に、無線通信と称する）。
詳細な処理については、フローチャートを参照して後述するが、図１に示される通信システムにおいては、ユーザがパーソナルコンピュータ１とＰＤＡ１１の間で無線通信（ブルートゥース、または無線ＬＡＮ）を開始させるべく、ＰＤＡ１１をパーソナルコンピュータ１に近接させたとき、例えば、ＰＤＡ１１のリーダライタ１２から、パーソナルコンピュータ１のリーダライタ２に対して、無線通信を確立するための情報（通信確立情報）、およびＰＤＡ１１の特徴を表わす特徴情報が送信される。
この通信確立情報は、例えば、個々の機器を識別するためにブルートゥースにおいて規定されているブルートゥースアドレス、または無線ＬＡＮで使用されるＭＡＣ（Ｍｅｄｉａ  Ａｃｃｅｓｓ  Ｃｏｎｔｒｏｌ  Ａｄｄｒｅｓｓ）アドレスなどの、無線通信を確立するために必要とされる各種の情報である。例えば、ブルートゥースにおいては、マスタとして機能する機器のブルートゥースアドレスなどに基づいて、周波数ホッピングパターンやタイムスロットが共有され、同期が図られるようになされている。
また、ＰＤＡ１１の特徴を表わす特徴情報は、例えば、ＰＤＡ１１の外観を表わす画像、ＰＤＡ１１の端末名、ＰＤＡ１１の端末の種類などに関する情報である。
リーダライタ２において、ＰＤＡ１１から送信されてきた通信確立情報と特徴情報が受信されたとき、パーソナルコンピュータ１は、特徴情報に基づいて、ＰＤＡ１１の外観画像や機器名を表示部３に表示させるとともに、通信確立情報に基づいて、ＰＤＡ１１との間で、同期確立処理や認証処理などの各種の処理を行う。
通常、電磁波を介して取得された情報に基づいて無線通信を確立させる場合、上述したような、同期を確立する処理や認証処理などの各種の処理のために、ある程度の時間が懸かってしまうが、パーソナルコンピュータ１の表示部３にＰＤＡ１１の外観画像や機器名が表示されるため、ユーザは、パーソナルコンピュータ１とＰＤＡ１１の間で無線通信の確立のための処理が行われていることを確認することができる。
また、無線通信により送信するデータの形式等の特徴を表わす情報を特徴情報として送信し、パーソナルコンピュータ１に表示させることにより、ユーザは、無線通信が確立され、ＰＤＡ１１から無線通信によりデータが送信されてくる前に、そのデータの形式等を確認することができる。
例えば、パーソナルコンピュータ１に対して無線通信により送信するデータとして、所定の画像データがユーザにより選択された場合、ＰＤＡ１１において、それを簡略化した画像（データ量を削減した画像）が特徴情報として生成され、電磁波を介して、パーソナルコンピュータ１に送信される。パーソナルコンピュータ１は、送信されてきた画像を表示部３に表示し、ユーザに提示する。
ユーザは、表示される画像（無線通信により送信されてくるものが簡略化された画像）を確認することで、無線通信により送信されてくる画像がどのようなものであるかを予め知ることができる。また、画像のサイズ、データ量、および転送時間などが表示されるようにすることで、ユーザは、それらの情報を予め確認することができる。
当然、特徴情報を双方で送受信することにより、無線通信が確立されるまでの間、ＰＤＡ１１の表示部にも、パーソナルコンピュータ１の外観画像等が表示されるようにしてもよい。
次に、図１の通信システムの各構成について説明する。
図２は、図１のパーソナルコンピュータ１の構成例を示すブロック図である。  ＣＰＵ（Ｃｅｎｔｒａｌ  Ｐｒｏｃｅｓｓｉｎｇ  Ｕｎｉｔ）２１は、ＲＯＭ（Ｒｅａｄ  Ｏｎｌｙ  Ｍｅｍｏｒｙ）２２、または記憶部２７に記憶されているプログラムに従って、各種の処理を実行する。ＲＡＭ２３には、ＣＰＵ２１が実行するプログラムやデータが適宜記憶される。ＣＰＵ２１、ＲＯＭ２２、およびＲＡＭ２３は、バス２４を介して相互に接続されている。
バス２４には、入出力インタフェース２５が接続されており、この入出力インタフェース２５には、例えば、ＬＣＤ（Ｌｉｑｕｉｄ  Ｃｒｙｓｔａｌ  Ｄｉｓｐｌａｙ）などよりなる表示部３、ユーザにより操作されるキーボードやマウスなどよりなる入力部２６、ハードディスクなどで構成される記憶部２７が接続されている。
また、入出力インタフェース２５には、ＰＤＡ１１に内蔵されているリーダライタ１２等と電磁波を介して通信を行うリーダライタ２、ＰＤＡ１１等とブルートゥースや無線ＬＡＮなどにより無線通信を行う無線通信部２８が接続されている。
さらに、入出力インタフェース２５には、ドライブ２９が接続されている。そして、ドライブ２９には、磁気ディスク３０、光ディスク３１、光磁気ディスク３２、または半導体メモリ３３などが適宜装着できるようになされている。これらの磁気ディスク３０及至半導体メモリ３３より読み出されたプログラムは、ドライブ２９から入出力インタフェース２５を介して、例えば、記憶部２７に供給され、記憶される。
図３は、図２のリーダライタ２の詳細な構成例を示すブロック図である。
ＩＣ４１は、ＣＰＵ６１、ＲＯＭ６２、ＲＡＭ６３、フラッシュメモリ６４、ＳＣＣ（Ｓｅｒｉａｌ  Ｃｏｍｍｕｎｉｃａｔｉｏｎ  Ｃｏｎｔｒｏｌｌｅｒ）６５、ＳＰＵ（Ｓｉｇｎａｌ  Ｐｒｏｃｅｓｓｉｎｇ  Ｕｎｉｔ）６７、並びに、これらのＣＰＵ６１乃至ＳＰＵ６７を相互に接続するバス６６から構成されている。
ＣＰＵ６１は、ＲＯＭ６２に格納されている制御プログラムをＲＡＭ６３に展開し、ＰＤＡ１１のリーダライタ１２から送信されてきたデータや、図２のＣＰＵ２１から供給されてきた制御信号に基づいて、各種の処理を実行する。例えば、ＣＰＵ６１は、リーダライタ１２に送信するコマンドを生成し、それを、バス６６を介してＳＰＵ６７に出力したり、リーダライタ１２から送信されてきたデータの認証処理などを行う。
フラッシュメモリ６４は、パーソナルコンピュータ１についての通信確立情報、および特徴情報を記憶し、ＣＰＵ６１から指示されたとき、記憶している情報をＳＰＵ６７に出力する。フラッシュメモリ６４は、例えば、無線通信部２８がブルートゥースに対応したモジュールである場合、無線通信部２８に対して設定されているブルートゥースアドレス、或いは、提供できるサービスに関する情報などを記憶し、無線通信部２８が無線ＬＡＮに対応したモジュールである場合、ＭＡＣアドレス、チャンネル数、ＥＳＳ−ＩＤ（Ｅｘｔｅｎｄｅｄ  Ｓｅｒｖｉｃｅ  Ｓｅｔ−Ｉｄｅｎｔｉｆｉｃａｔｉｏｎ）等を記憶する。
また、フラッシュメモリ６４は、パーソナルコンピュータ１の特徴情報として、パーソナルコンピュータ１の外観画像、端末名等を記憶する。
さらに、無線通信部２８から送信するデータとして、所定のデータが選択された場合、選択されたデータの特徴を表わす特徴情報が、例えば、ＣＰＵ２１により生成され、ＳＣＣ６５を介して送信されてくるため、フラッシュメモリ６４は、必要に応じて、そのように新たに生成された特徴情報をも記憶する。
ＳＣＣ６５は、図２のＣＰＵ２１から供給されてきたデータを、バス６６を介してＣＰＵ６１に供給したり、ＣＰＵ６１から、バス６６を介して供給されてきたデータをＣＰＵ２１に出力する。
ＳＰＵ６７は、所定のデータが復調部４４から供給されてきたとき、そのデータに対して、例えば、ＢＰＳＫ（Ｂｉｎａｒｙ  Ｐｈａｓｅ  Ｓｈｉｆｔ  Ｋｅｙｉｎｇ）復調（マンチェスターコードのデコード）などを施し、取得したデータをＣＰＵ６１に供給する。また、ＳＰＵ６７は、ＰＤＡ１１に送信するコマンドがバス６６を介して供給されてきたとき、そのコマンドにＢＰＳＫ変調（マンチェスターコードへのコーディング）を施し、取得したデータを変調部４２に出力する。
変調部４２は、発振回路４３から供給される所定の周波数（例えば、１３．５６ＭＨｚ）の搬送波を、ＳＰＵ６７より供給されるデータに基づいて、ＡＳＫ（Ａｍｐｌｉｔｕｄｅ  Ｓｈｉｆｔ  Ｋｅｙｉｎｇ）変調し、生成された変調波を、電磁波としてアンテナ４５から出力する。一方、復調部４４は、アンテナ４５を介して取得した変調波（ＡＳＫ変調波）を復調し、復調されたデータをＳＰＵ６７に出力する。
アンテナ４５は、所定の電磁波を輻射し、それに対する負荷の変化に基づいて、例えば、ＰＤＡ１１（リーダライタ１２）を検出し、各種のデータを送受信する。
図４は、図１のＰＤＡ１１の構成例を示すブロック図である。
ＣＰＵ８１乃至無線通信部８９は、図２のＣＰＵ２１乃至無線通信部２８と基本的に同様の構成を有するため、その詳細な説明は適宜省略する。
リーダライタ１２は、ＰＤＡ１１がパーソナルコンピュータ１に近接され、例えば、リーダライタ２から輻射されている電磁波を受信したとき、記憶されている通信確立情報や特徴情報をリーダライタ２に提供する。
無線通信部８９は、パーソナルコンピュータ１の無線通信部２８と同様に、ブルートゥースや無線ＬＡＮなどにより無線通信を行うモジュールであり、無線通信部２８からの呼びかけに応じて、或いは、リーダライタ１２により受信され、供給されてきたパーソナルコンピュータ１の通信確立情報に基づいて、無線通信部２８との間で無線通信を確立し、その後、各種の情報を送受信する。
図５は、図４のリーダライタ１２の詳細な構成例を示すブロック図である。
リーダライタ１２は、図３に示されるリーダライタ２と基本的に同様の構成を有するため、その詳細な説明は適宜省略する。
フラッシュメモリ１２４は、無線通信部８９がブルートゥースに対応したモジュールである場合、通信確立情報として、無線通信部８９に対して設定されているブルートゥースアドレス、或いは、提供できるサービスに関する情報などを記憶し、無線通信部８９が無線ＬＡＮに対応したモジュールである場合、ＭＡＣアドレス等を記憶する
また、フラッシュメモリ１２４は、ＰＤＡ１１の特徴情報として、ＰＤＡ１１の外観画像、端末名等を記憶する。
図６Ａおよび図６Ｂは、フラッシュメモリ１２４に記憶される画像データ（外観画像）の例を示す図である。
フラッシュメモリ１２４には、図６Ａ、および図６Ｂに示されるような画像をパーソナルコンピュータ１の表示部３に表示させるデータが、ＰＤＡ１１の画像データとして記憶される。
例えば、フラッシュメモリ１２４に記憶されている特徴情報が送信されてきたとき、パーソナルコンピュータ１の表示部３には、図６Ａに示されるようなアイコン調の外観画像、或いは、図６Ｂに示されるようなＰＤＡ１１の輪郭（アウトライン）を表わす画像が表示される。
次に、図１の通信システムの処理について説明する。
始めに、図７のフローチャートを参照して、パーソナルコンピュータ１との間で無線通信を確立するＰＤＡ１１の処理について説明する。
ステップＳ１において、ＣＰＵ８１は、リーダライタ１２からの出力に基づいて、パーソナルコンピュータ１に近接されたか否かを判定し、近接されたと判定するまで待機する。
例えば、無線通信を開始させるべく、ユーザがＰＤＡ１１をパーソナルコンピュータ１に近接させたとき、パーソナルコンピュータ１のリーダライタ２から輻射されている電磁波（検出のための電磁波）を受信することに応じて、或いは、自ら輻射している電磁波に対するリーダライタ２からの応答を受信することに応じて、リーダライタ１２からＣＰＵ８１に対して、パーソナルコンピュータ１に近接されたことが通知されてくる。
ＣＰＵ８１は、ステップＳ１において、パーソナルコンピュータ１に近接されたと判定した場合、ステップＳ２に進み、無線通信を確立させるための通信確立情報と、ＰＤＡ１１の特徴情報をリーダライタ１２から送信する。
例えば、上述したように、無線通信部８９がブルートゥースに対応したモジュールである場合、フラッシュメモリ１２４に予め用意されている、ブルートゥースアドレスと、サービスに関する情報などが、通信確立情報としてパーソナルコンピュータ１（リーダライタ２）に送信される。
また、フラッシュメモリ１２４に予め用意されている、例えば、ＰＤＡ１１の端末名情報、および図６Ａおよび図６Ｂに示されるような画像を表示させる画像情報が、特徴情報としてパーソナルコンピュータ１に送信される。
そして、ステップＳ３において、ＣＰＵ８１は、無線通信部８９を制御し、パーソナルコンピュータ１（無線通信部２８）との間で、無線通信を確立させる処理を行う。
例えば、パーソナルコンピュータ１に対して、特徴情報として無線通信部８９のブルートゥースアドレスが提供されている場合、パーソナルコンピュータ１の無線通信部２８により、ＰＤＡ１１がブルートゥースによる通信の相手として特定され、無線通信部２８と無線通信部８９の間で各種の処理が行われる。パーソナルコンピュータ１の無線通信部２８と、ＰＤＡ１１の無線通信部８９の間で行われる処理の詳細については後述する。
ステップＳ４において、ＣＰＵ８１は、無線通信部８９からの通知に基づいて、パーソナルコンピュータ１との間で無線通信が確立されたか否かを判定し、確立されたと判定するまで、ステップＳ３に戻り、それ以降の処理を繰り返し実行する。
一方、ＣＰＵ８１は、ステップＳ４において、ブルートゥース等の無線通信がパーソナルコンピュータ１との間で確立されたと判定した場合、ステップＳ５に進む。なお、ＰＤＡ１１の特徴情報等が送信されてから、無線通信が確立されるまでの期間、パーソナルコンピュータ１においては、図６Ａおよび図６Ｂに示されるようなＰＤＡ１１の外観画像が表示部３に表示される。
ステップＳ５において、ＣＰＵ８１は、無線通信部８９を制御し、確立された無線通信を利用して、既に送信している特徴情報よりも詳細な特徴情報（データ量の大きい特徴情報）をパーソナルコンピュータ１に送信する。無線通信により送信される特徴情報は、例えば、図６Ａまたは図６Ｂに示されるようなＰＤＡ１１の外観画像よりも、詳細な（実物に近い）外観画像であり、記憶部８８に記憶されている。
パーソナルコンピュータ１においては、既に表示されているＰＤＡ１１の画像に換えて、より詳細なＰＤＡ１１の外観画像が表示される。
通常、ブルートゥースなどの無線通信の伝送速度は、リーダライタ１２における通信の伝送速度よりも高速であるため、このように、よりデータ量の大きい、詳細な画像情報を送信することができる。送信される画像情報の具体例については後述する。
その後、処理は終了され、ＰＤＡ１１の無線通信部８９とパーソナルコンピュータ１の無線通信部２８の間で、各種のデータがブルートゥースや無線ＬＡＮなどにより送受信される。
次に、図８のフローチャートを参照して、図７の処理に対応して行われるパーソナルコンピュータ１の通信確立処理について説明する。
ステップＳ２１において、ＣＰＵ２１は、ＰＤＡ１１が近接されたか否かを判定し、近接されたと判定するまで待機する。例えば、リーダライタ２から、近傍に存在する機器を検出するための電磁波が輻射されており、それを受信することに対する応答がＰＤＡ１１から送信されてきた場合、ＣＰＵ２１は、ステップＳ２１において、ＰＤＡ１１が近接されたと判定し、ステップＳ２２に進む。
ＣＰＵ２１は、ステップＳ２２において、リーダライタ１２からの出力に基づいて、無線通信を確立するための通信確立情報と、ＰＤＡ１１の特徴を表わす特徴情報が送信されてきたか否かを判定する。
上述したように、図７のステップＳ２において、ＰＤＡ１１のリーダライタ１２から、それらの情報が送信されてくるため、ＣＰＵ２１は、通信確立情報と特徴情報が送信されてくるまで待機する。
ＣＰＵ２１は、ステップＳ２２において、通信確立情報と特徴情報が送信されてきたと判定した場合、ステップＳ２３に進み、リーダライタ２において受信された特徴情報を取得する。
ＣＰＵ２１は、ステップＳ２４において、無線通信部２８を制御し、通信確立情報に基づいて、無線通信の確立処理を行う。
例えば、無線通信部２８とＰＤＡ１１の無線通信部８９がブルートゥースに対応したモジュールである場合、無線通信部２８は、ブルートゥースで規定されている「問い合わせ（Ｉｎｑｕｉｒｙ）」により、近傍に存在する端末を検出し、それぞれの端末のブルートゥースアドレスを取得する。
そして、無線通信部２８は、「問い合わせ」により検出した端末の中から、リーダライタ２における通信により既に通知されているブルートゥースアドレスが設定されている端末、すなわち、ＰＤＡ１１を、これから通信を行う端末として特定し、ＰＤＡ１１に対してのみ、ブルートゥースで規定されている「呼び出し（Ｐａｇｅ）」を行う。
無線通信部２８は、「問い合わせ」、および「呼び出し」などを行い、ＰＤＡ１１の無線通信部８９との間でタイムスロットの同期をとる（時間軸の同期をとる）とともに、パーソナルコンピュータ１に設定されているブルートゥースアドレスに基づいて周波数ホッピングパターンを同調させる（周波数軸の同期をとる）。なお、「呼び出し」によりパーソナルコンピュータ１のブルートゥースアドレスが無線通信部８９に通知されている。
そして、ＣＰＵ２１は、ステップＳ２５において、取得された特徴情報に基づいて、ＰＤＡ１１の外観画像と端末名等を表示部３に表示させる。
図９は、表示部３の表示例を示す図である。
例えば、ＰＤＡ１１のリーダライタ１２（フラッシュメモリ１２４）に、図６Ｂに示されるような輪郭を表示させる画像と、端末名「ＰＤＡ」を表わす情報が特徴情報として用意されている場合、ＣＰＵ２１は、それらの情報が取得されたとき、図９に示されるような画面を表示し、ユーザに提示する。
この例においては、ＰＤＡ１１の輪郭を表わす画像が表示され、その隣に端末名「ＰＤＡ」を含む「ＰＤＡと接続中」のメッセージが表示されている。
この表示を確認することにより、ユーザは、現在、パーソナルコンピュータ１とＰＤＡ１１の間で無線通信の確立処理が行われていること、すなわち、希望する端末との間で無線通信の確立処理が行われていることを確認することができる。仮に、ＰＤＡ１１の画像や端末名が表示されない場合、ユーザは、無線通信の確立処理が行われていることは確認できるものの、パーソナルコンピュータ１と、その近傍に存在する他の端末との間で、その処理が行われているのではないかというような不安を抱くことがある。
図８の説明に戻り、ステップＳ２６において、ＣＰＵ２１は、ＰＤＡ１１との間で無線通信が確立されたか否かを判定し、確立されたと判定するまで、ステップＳ２４に戻り、それ以降の処理を繰り返し実行する。
一方、ステップＳ２６において、ＣＰＵ２１は、無線通信が確立されたと判定した場合、ステップＳ２７に進み、確立された無線通信を利用して、詳細な特徴情報がＰＤＡ１１から送信されてきたか否かを判定する。
ＣＰＵ２１は、ステップＳ２７において、詳細な特徴情報がＰＤＡ１１から送信されてきたと判定するまで待機し、送信されてきたと判定した場合、ステップＳ２８に進み、それを取得する。
ステップＳ２９において、ＣＰＵ２１は、取得された詳細な特徴情報を利用し、詳細なＰＤＡ１１の画像を表示部３に表示させる。
図１０は、ステップＳ２９における表示部３の表示例を示す図である。
例えば、ＰＤＡ１１の記憶部８８に、ほぼ実写に近いＰＤＡ１１の画像情報（データ量の大きい画像情報）が用意されている場合、それが、詳細な特徴情報として無線通信部２８において受信されるため、ＣＰＵ２１は、図１０に示されるような画面を表示し、ユーザに提示する。
この例においては、図９に示されているものと比較して、より詳細なＰＤＡ１１の画像が表示部３に表示され、その隣に端末名「ＰＤＡ」を含む「ＰＤＡと接続完了」のメッセージが表示されている。
これにより、ユーザは、ブルートゥースや無線ＬＡＮなどの無線通信が確立されたことを確認することができる。そして、それ以降、パーソナルコンピュータ１とＰＤＡ１１の間では、確立された無線通信により、各種のデータが送受信される。
次に、図１に示される通信システムの他の処理について説明する。
上述したように、無線通信により送信する所定のデータの特徴情報を電磁波を利用して提供した後、無線通信を確立し、そのデータを実際に送信するまでの期間、特徴情報を相手の装置に表示させておくことも可能である。
始めに、図１１のフローチャートを参照して、パーソナルコンピュータ１と無線通信を確立するＰＤＡ１１の処理について説明する。なお、この例においては、ＰＤＡ１１からパーソナルコンピュータ１に対して、ユーザにより選択された所定のデータが無線通信により送信される。
ステップＳ４１において、ＣＰＵ８１は、入力部８７からの出力に基づいて、送信するデータがユーザにより選択されたか否かを判定し、選択されたと判定するまで待機する。以下、無線通信により送信されるデータ（選択されたデータ）を、適宜、送信データと称する。
ＣＰＵ８１は、ステップＳ４１において、送信データが選択されたと判定した場合、ステップＳ４２に進み、送信データの特徴を表わす特徴情報を生成し、それをリーダライタ１２に転送する。
図１２は、ステップＳ４２で作成される特徴情報の例を示す図である。
例えば、送信データとして「テキストＡ」、「テキストＢ」、および「画像Ａ」の３つのデータ（ファイル）が選択された場合、白抜き矢印の先に示されるような、データの形式や題名、或いはサイズ等を示す特徴情報が生成される。また、「画像Ａ」に関しては、その元のデータが２値化されたり、或いは、データサイズが縮小されるなどしてデータ量が削減され、リーダライタ１２から送信できるデータ量の特徴情報が生成される。
この例においては、送信データの数が特徴情報の「ａｌｌ：３」により表わされ、データの形式（テキスト、または画像）と数が「ｔｅｘｔ／ｐｌａｉｎ：２」と「ｉｍａｇｅ／ｊｐｇ：１」により表わされている。また、テキストＡの題名が「ｐａｔｅｎｔ  ｄｏｃｕｍｅｎｔ  ｏｆ  Ａ  ｓｙｓｔｅｍ」により表わされ、テキストＢの題名が「ｒｅｆｅｒｅｎｃｅ  ｄｏｃｕｍｅｎｔ  ｏｆ  ｔｈｅ  ｓｙｓｔｅｍ」により表わされ、画像Ａのサイズが「ｗｉｄｔｈ＝３２０，ｈｅｉｇｈｔ＝２４０」により表わされている。
さらに、画像Ａが画像Ａ’に変換され（データ量が削減され）、画像Ａの特徴を表わす特徴情報とされている。
このような特徴情報が、上述したような通信確立情報とともにパーソナルコンピュータ１に送信される。
図１１の説明に戻り、それ以降の、ステップＳ４３乃至ステップＳ４６の処理は、図７のステップＳ１乃至ステップＳ４の処理と基本的に同様の処理である。すなわち、ＣＰＵ８１は、ステップＳ４３において、パーソナルコンピュータ１に近接されたか否かをリーダライタ１２からの出力に基づいて判定し、近接されたと判定した場合、ステップＳ４４に進む。
ステップＳ４４において、ＣＰＵ８１は、リーダライタ１２を制御し、予め用意されている通信確立情報と、ステップＳ４２で生成した特徴情報をリーダライタ１２からパーソナルコンピュータ１に送信する。図１３のフローチャートを参照して後述するように、この特徴情報に対応する画像がパーソナルコンピュータ１の表示部３に表示される。
そして、ＣＰＵ８１は、ステップＳ４５において、無線通信部８９を制御し、無線通信の確立処理を行い、ステップＳ４６に進み、無線通信が確立されたか否かを判定する。
ＣＰＵ８１は、ステップＳ４６において、無線通信が確立されたと判定した場合、ステップＳ４７に進み、ユーザにより選択された送信データ（上述した例においては、「テキストＡ」、「テキストＢ」、および「画像Ａ」）を記憶部８８から読み出し、パーソナルコンピュータ１に対して、無線通信部８９から送信する。
その後、通信確立処理は終了され、確立された無線通信により、各種のデータが送受信される。
次に、図１３のフローチャートを参照して、図１１の処理に対応して実行されるパーソナルコンピュータ１の処理について説明する。
図１３に示される処理は、ＰＤＡ１１から電磁波により送信されてくる特徴情報が異なる点、および、それに伴って、表示される画像が異なる点を除いて、図８を参照して説明した処理と基本的に同様の処理である。
すなわち、ステップＳ６１において、ＣＰＵ２１は、リーダライタ２からの出力に基づいて、ＰＤＡ１１が近接されたか否かを判定し、近接されたと判定した場合、ステップＳ６２に進む。そして、ステップＳ６２において、ＣＰＵ２１は、リーダライタ２からの出力に基づいて、通信確立情報と特徴情報（生成された特徴情報）が送信されてきたか否かを判定し、送信されてきたと判定した場合、ステップＳ６３に進み、それを取得する。
ステップＳ６４において、ＣＰＵ２１は、例えば、無線通信部２８がブルートゥースに対応したモジュールである場合、上述したように、「問い合わせ」、および「呼び出し」等を実行し、無線通信の確立処理を行い、ステップＳ６５において、取得した特徴情報を表示部３に表示させる。
図１４は、ステップＳ６５における表示部３の表示例を示す図である。
例えば、図１２に示されるような特徴情報が生成され、それが送信されてきた場合、図１４に示されるように、テキストが送信されてくることと、その数を表わす画像１４１と、テキストの題名が表示される。
画像１４１は、例えば、パーソナルコンピュータ１の記憶部２７に記憶されていたものであり、特徴情報に含まれる、データ形式を表わす情報（「ｔｅｘｔ／ｐｌａｉｎ：２」）に基づいて読み出され、表示される。当然、画像１４１が、特徴情報としてＰＤＡ１１から送信されてくるようにしてもよいし、図示せぬ通信部を介して、ネットワーク上の所定のサーバから、ダウンロードされ、表示されるようにしてもよい。なお、図１４に示される題名は、特徴情報に含まれる「ｐａｔｅｎｔ  ｄｏｃｕｍｅｎｔ  ｏｆ  Ａ  ｓｙｓｔｅｍ」、および「ｒｅｆｅｒｅｎｃｅ  ｄｏｃｕｍｅｎｔ  ｏｆ  ｔｈｅ  ｓｙｓｔｅｍ」に基づいて表示される。
また、画像１４１の下方には、ＰＤＡ１１において、新たに生成された画像Ａ’（送信データとして選択された「画像Ａ」のデータ量を削減した画像）が表示されている。なお、表示部３の右上方には、「データ受信中」のメッセージが表示されている。
これにより、ユーザは、無線通信が確立された後に、題名「ｐａｔｅｎｔ  ｄｏｃｕｍｅｎｔ  ｏｆ  Ａ  ｓｙｓｔｅｍ」のテキストデータと、題名「ｒｅｆｅｒｅｎｃｅ  ｄｏｃｕｍｅｎｔ  ｏｆ  ｔｈｅ  ｓｙｓｔｅｍ」のテキストデータ、並びに、画像Ａ’に示されるような画像データがＰＤＡ１１から送信されてくることを確認することができる。
すなわち、自分自身でＰＤＡ１１を操作して、これらのデータを送信データとして選択した場合、希望するデータがパーソナルコンピュータ１に送信されるか否か、すなわち、誤った操作を行っていなかったか否かを確認することができる。
なお、特徴情報として、ＰＤＡ１１の外観画像も通知されている場合、図９に示されるような外観画像が、図１４に示されるものと同時に表示されるようにしてもよい。
図１３の説明に戻り、ＣＰＵ２１は、ステップＳ６６において、無線通信が確立されたか否かを判定し、確立されたと判定した場合、ステップＳ６７に進み、無線通信を利用して、ＰＤＡ１１から送信データが送信されてきたか否かを判定する。
ＣＰＵ２１は、ステップＳ６７において、送信データが送信されてきたと判定するまで待機し、送信されてきたと判定した場合、ステップＳ６８に進み、それを取得する。無線通信部２８において受信された送信データは、ＣＰＵ２１により取得され、適宜、ＲＡＭ２３や記憶部２７に転送される。
そして、ＣＰＵ２１は、ステップＳ６９において、送信データを表示部３に表示させる。
図１５は、ステップＳ６９における表示部３の表示例を示す図である。
図に示されるように、画像Ａ’に換えて、画像Ａ、すなわち、ユーザにより選択された画像（データ量が削減されていない画像）が表示される。ユーザは、例えば、この画像Ａをマウスなどによりクリックすることで、画像Ａを拡大表示させることができる。
また、テキストデータも取得されているため、ユーザは、画像１４１をクリック等することで、所定のアプリケーションを起動させ、そのテキストデータを表示させることができる。なお、表示部３の右上方には、「受信完了」のメッセージが表示されている。
以上のような処理により、例えば、これから送信されてくるデータが、自分が希望しているデータか否かなどを確認することができ、送信されてくるデータに応じた操作をすることができる。すなわち、操作を誤り、送信されてくるデータが、希望しないものであることを確認した場合、所定の操作により、無線通信の確立処理や、データの送信処理が中断されるようにしてもよい。
以上においては、特徴情報に基づいて、テキストデータや画像データが表示されるとしたが、無線通信により送信するデータが音楽データである場合、その一部が特徴情報として送信され、受信した方の機器において出力されるようにしてもよい。これにより、ユーザは、音楽データが送信されてくるまで、飽きずに待つことができる。このように、リーダライタによる伝送速度の範囲内で、様々なデータを特徴情報として送信することができる。
また、双方の機器に設けられているリーダライタにおいて、電磁誘導を利用して通信を行い、各種の情報を予め転送する場合について説明したが、近接されることにより通信が開始される、例えば、ＩｒＤＡなどを利用して各種の情報を予め転送するようにしてもよい。
さらに、いずれか一方の機器にカメラが設けられており、そのカメラにより撮像された画像により、上述したような各種の情報が転送されるようにしてもよい。この場合、カメラが設けられていない他方の機器には、転送する情報をコード化した、いわゆるサイバーコード（商標）を表わす画像が表示される。このように、様々な方法を利用して、特徴情報等を予め転送させることができる。
以上においては、無線通信の確立処理において、例えば、「問い合わせ」により検出された端末のうちの、電磁波を介して取得されたブルートゥースアドレスが設定されている端末との間で「呼び出し」が行われるとしたが、電磁波により取得されたブルートゥースアドレスに基づいて、「問い合わせ」を行うことなく、直接、「呼び出し」を行うようにしてもよい。
また、無線通信部がブルートゥースに対応したモジュールである場合、ブルートゥースアドレスやサービスに関する情報が通信確立情報として送信されるとしたが、その他、例えば、初めてブルートゥースにより通信する端末との間で必要とされるＰＩＮコードが送信されたり、個々の端末に対して設定されているブルートゥースデバイス名が送信されるようにしてもよい。
例えば、パーソナルコンピュータ１は、ＰＤＡ１１のブルートゥースデバイス名が電磁波を介して提供されてきた場合、ブルートゥースで規定されている通常の「問い合わせ」、「呼び出し」、およびブルートゥースデバイス名の取得処理を行う。そして、パーソナルコンピュータ１は、電磁波により既に通知されているブルートゥースデバイス名に基づいて、ブルートゥースデバイス名を通知してきた端末の中からＰＤＡ１１を識別し、その後の通信を行う。
以上においては、ブルートゥースによる通信相手の端末の特定は、パーソナルコンピュータ１のリーダライタ２と、ＰＤＡ１１のリーダライタ１２との間で送受信された通信確立情報に基づいて行われるとしたが、パーソナルコンピュータ１およびＰＤＡ１１に、このように電磁誘導を利用して近距離無線通信を行うモジュールが設けられていない場合であっても、無線通信部の電波の出力電力を制御することにより、通信相手の端末を特定することができる。
以下、無線通信部から出力される電波の出力電力を制御することにより、通信相手の端末を特定する通信システムについて説明する。
図１６は、電波の出力電力を制御することにより、通信相手の端末を特定する通信システムの構成例を示す図である。
例えば、ブルートゥースによる通信相手を特定し、その相手との間で通信を確立する場合、ＰＤＡ１１は、始めに、無線通信部８９（例えば、ブルートゥースモジュール）の出力電力を抑制し、輻射される電波が、例えば、数センチメートルの範囲内にのみ到達するように制御する。このように、電波の出力電力が抑制される微弱電力モードが設定されている状態において、無線通信部８９は、「Ｉｎｑｕｉｒｙ（問い合わせ）」を繰り返し行い、その電波の届く範囲（例えば、数センチメートル範囲内）に存在する端末を探索する。
そして、ユーザによりＰＤＡ１１がパーソナルコンピュータ１に近接または載置され、無線通信部８９により輻射される電波がパーソナルコンピュータ１の無線通信部２８（無線通信部８９と同一規格により通信を行うモジュール）により受信された場合、無線通信部２８からは、Ｉｎｑｕｉｒｙに対する応答が行われるため、無線通信部８９は、無線通信部２８との間で、Ｉｎｑｕｉｒｙ，Ｐａｇｅ（呼び出し）を行い、通信リンクを確立する。ここで確立される通信リンクは、微弱電力モードが設定されている無線通信部８９からの電波が届く、非常に狭い範囲内で有効なものである。
従って、無線通信部８９は、ある程度離れている場合であっても無線通信部２８との通信が可能となるように、一旦、通信リンクを切断し、無線通信部８９自身の電力モードの設定を、微弱電力モードから通常電力モードに変更した後、既に取得している情報（近距離でのＩｎｑｕｉｒｙ，Ｐａｇｅにより取得している情報）に基づいて、再度、無線通信部２８との間で通信リンクを確立する。
再度確立された通信リンクは、通常のブルートゥースによる通信と同様に、例えば、数十メートルなどの電波の届く範囲内で有効なものとなり、パーソナルコンピュータ１とＰＤＡ１１の距離が十分離れている場合であっても、ブルートゥースによる通信が可能となる。
以上のように、ＰＤＡ１１にリーダライタ１２が設けられていない場合であっても、無線通信部の出力電力を制御させるようにすることにより、ユーザは、ＰＤＡ１１をパーソナルコンピュータ１に近接させるだけで、それらの端末の間でブルートゥースによる通信を確立させることができる。
すなわち、ブルートゥースによる通信が可能な機器がＰＤＡ１１の周囲に複数存在する場合であっても、パーソナルコンピュータ１を通信相手の端末として特定し、通信を確立させることができる。
また、微弱電力モードによる通信が確立したときに、上述した、通信を開始する機器の外観画像、或いは、転送されるデータを表す画像が送受信され、それぞれの機器に表示されることにより、ユーザは、通信が確立された機器の間で行われる処理（例えば、通常電力モードによる通信が確立されたときに行われる処理）を予め確認することができる。
なお、無線通信部８９の電力モードをシームレスに切り換えることができる場合、微弱電力モードが設定されているときに確立された通信リンクを一旦切断することなく、電力モードの設定を微弱電力モードから通常電力モードに切り換えるようにしてもよい。
図１７は、図１６の無線通信部８９の詳細な構成例を示すブロック図である。
無線通信部８９は、ブルートゥースモジュールや無線ＬＡＮモジュールなどより構成される。
無線制御部２０１は、切り換えスイッチ２０４を制御し、無線通信部８９から外部の端末に対して情報を送信する場合には、スイッチ２０４Ａを接点ａ側に接続し、一方、外部の端末から送信されてくる情報を受信する場合には、スイッチ２０４Ａを接点ｂ側に接続する。
また、無線制御部２０１は、入出力インタフェース８５（図４）を介して行われるＣＰＵ８１からの制御に基づいて、パワーアンプ２０５の利得を制御し、アンテナ２０７から輻射される電波の到達範囲（出力電力）を制御する。
具体的には、無線制御部２０１は、微弱電力モードを設定することがＣＰＵ８１により指示されている場合、アンテナ２０７から輻射される電波の到達範囲が狭くなるようにパワーアンプ２０５の利得を制御し、一方、通信相手の端末を特定でき、微弱電力モードから通常電力モードに切り換えることが指示された場合、出力される電波の到達範囲がより広範囲なものになるようにパワーアンプ２０５の利得を制御する。
ベースバンド制御部２０２は、送受信信号のベースバンド信号を制御する。変復調処理部２０３は、ベースバンド制御部２０２からの出力に対して、ＧＦＳＫ変調処理やホッピング周波数に基づくスペクトラム拡散処理などを行い、得られた信号を、パワーアンプ２０５を介してアンテナ２０７から出力する。また、変復調処理部２０３は、ＬＮＡ（Ｌｏｗ  Ｎｏｉｓｅ  Ａｍｐｌｉｆｉｅｒ）２０６からの出力に対して、スペクトラム逆拡散処理やＧＦＳＫ復調処理を行い、得られた信号をベースバンド制御部２０２に出力する。
パーソナルコンピュータ１に設けられる無線通信部２８の構成は、図１７に示される無線通信部８９の構成と同様であるため、その説明は省略する。
なお、上述したように、図１６に示される通信システムにおいては、パーソナルコンピュータ１およびＰＤＡ１１にはリーダライタが設けられていない。
次に、図１８のフローチャートを参照して、図１６の通信システムの動作について説明する。図１８においては、ブルートゥースによる通信相手を特定し、通信を確立する場合の処理について説明する。
例えば、ユーザによりブルートゥースによる通信を開始することが指示されたとき、ＰＤＡ１１の無線通信部８９は、ＣＰＵ８１からの制御に基づいて起動し、ステップＳ１０１において、自分自身の電力モードとして微弱電力モードを設定する。また、無線通信部８９は、ステップＳ１０２に進み、Ｉｎｑｕｉｒｙを繰り返し実行し、近接されている端末を探索する。
ステップＳ１０２で実行されるＩｎｑｕｉｒｙにおいては、微弱電力モードが設定され、電波の到達範囲が抑制されているため、例えば、アンテナ２０７から数センチメートルの範囲内にＩＱパケット（Ｉｎｑｕｉｒｙパケット）が繰り返しブロードキャストされる。
一方、パーソナルコンピュータ１の無線通信部２８は、ステップＳ１２１において、Ｉｎｑｕｉｒｙスキャン、Ｐａｇｅスキャンを繰り返し実行する状態とし、他の端末から、Ｉｎｑｕｉｒｙ，Ｐａｇｅの要求があるまで待機する。
ユーザにより、ＰＤＡ１１がパーソナルコンピュータ１に近接され、パーソナルコンピュータ１の無線通信部２８がＰＤＡ１１の無線通信部８９からの電波の到達範囲内にあるとき、無線通信部８９からブロードキャストされているＩＱパケットがステップＳ１２２において無線通信部２８により受信される。
無線通信部２８は、無線通信部８９からブロードキャストされているＩＱパケットを受信したとき、それに応答すべく、ステップＳ１２３に進み、ＦＨＳパケットを無線通信部８９に送信する。このＦＨＳパケットには、パーソナルコンピュータ１（ブルートゥースのスレーブ）の属性情報として、パーソナルコンピュータ１のブルートゥースアドレスとブルートゥースクロックを表す情報が含まれている。
無線通信部２８から送信されてきたＦＨＳパケットをステップＳ１０３において受信したとき、ステップＳ１０４に進み、無線通信部８９は、無線通信部２８に対して接続を要求する。
すなわち、無線通信部８９から無線通信部２８に対してＩＤパケットが送信され、そのＩＤパケットと同一のＩＤパケットが無線通信部２８から無線通信部８９に対して送り返されてきたとき、無線通信部８９のブルートゥースアドレスおよびブルートゥースクロックを含む、ＦＨＳパケットが無線通信部８９から無線通信部２８に対して送信される。
無線通信部８９から送信されたＦＨＳパケットが無線通信部２８によりステップＳ１２４において受信されたとき、無線通信部８９と無線通信部２８の間で周波数軸（周波数ホッピングパターン）および時間軸（タイムスロット）の同期が確立され、データリンク（通信リンク）が確立された状態となる（Ｓｔａｔｅ  １）。
例えば、無線通信部２８と無線通信部８９との間で、初めてブルートゥースによるデータリンクが確立された場合、ステップＳ１０５において、無線通信部８９は、ＰＩＮ（Ｐｅｒｓｏｎａｌ  Ｉｄｅｎｔｉｆｉｃａｔｉｏｎ  Ｎｕｍｂｅｒ）コードを無線通信部２８に対して送信し、相互に認証を行う。
無線通信部８９から送信されてきたＰＩＮコードは、ステップＳ１２５において、無線通信部２８により受信され、その後、ＰＩＮコードと乱数などに基づいて、無線通信部２８との間で、各種のリンクキーが設定される。
なお、ＰＩＮコードの送受信は、無線通信部２８から無線通信部８９に対して提供された公開鍵により暗号化されてから行われるようにしてもよい。すなわち、この場合、無線通信部２８は、無線通信部８９に提供する公開鍵に対応する秘密鍵を自ら管理している。これにより、セキュリティを向上させることができ、より確実に、パーソナルコンピュータ１とＰＤＡ１１の間でのみブルートゥースによる通信を実行させることができる。
以上のようにして確立された通信リンクは、微弱電力モードが設定されている無線通信部８９からの電波が届く、数センチメートルの範囲内で有効なものであるため、無線通信部８９は、ある程度離れている場合であっても無線通信部２８との通信が可能となるように、ステップＳ１０６において、無線通信部２８に対してデータリンクの一時的な切断を要求する。このとき、無線通信部２８のブルートゥースアドレスやＰＩＮコード等の、それまでの処理により取得された情報は無線通信部８９に保存される。
その要求をステップＳ１２６において受信した無線通信部２８は、無線通信部８９と同様に、それまでに取得された無線通信部８９のブルートゥースアドレスやＰＩＮコード等の情報を保存し、データリンクを切断する（Ｓｔａｔｅ  ２）。
無線通信部８９は、ステップＳ１０７において、再度、無線通信部２８とデータリンクを確立すべく、ＣＰＵ１０１からの制御に基づいて、出力電力の電力モードを通常電力モードに設定する。これにより、例えば、数十メートルの範囲まで、無線通信部８９からのブルートゥースの電波が到達することになる。
また、無線通信部８９は、ステップＳ１０８に進み、データリンクを切断する直前に保存していた情報に基づいて、パーソナルコンピュータ１を通信相手の端末として特定し、無線通信部２８に対して接続を要求する。
この要求がステップＳ１２７において無線通信部２８により受信され、お互いの端末において設定が行われることにより、無線通信部８９と無線通信部２８の間でデータリンクが確立した状態、すなわち、通常電力モードが設定されている無線通信部８９からの電波が届く、例えば、数十メートルの範囲内でブルートゥースによる通信が可能な状態となる（Ｓｔａｔｅ  ３）。
以上のようにして近接された端末を通信相手の端末として特定する図１６の通信システムが図１の通信システムに適用されることにより、仮に、リーダライタが設けられていない場合であっても、ユーザは、単に、ＰＤＡ１１をパーソナルコンピュータ１に近づけるだけで、それらの端末の間で通信を開始させ、上述した特徴情報を、近接された端末間で送受信させることができる。
この場合、微弱電力モードによる通信が確立されたときに特徴情報として外観画像が送受信され、通常電力モードによるデータリンクを確立する前に、これから通信が開始される機器を表す外観画像が表示される。
次に、図１９のフローチャートを参照して、微弱電力モードによる通信が確立されたときに、特徴情報としての外観画像が送受信され、その画像がユーザに提示される、図１６の通信システムの処理について説明する。
この例においては、微弱電力モードによる通信が確立されたとき、パーソナルコンピュータ１からＰＤＡ１１に対して、予め用意されているパーソナルコンピュータ１の外観画像が送信されるようになされている。
ＰＤＡ１１によるステップＳ１４１乃至Ｓ１４５の処理、および、パーソナルコンピュータ１によるステップＳ１６１乃至Ｓ１６５の処理は、図１８のステップＳ１０１乃至Ｓ１０５の処理、および、ステップＳ１２１乃至Ｓ１２５の処理とそれぞれ同様である。
すなわち、微弱電力モードにより、例えば、数センチメートルの範囲内でのみ通信が可能なデータリンクが確立され、ＰＤＡ１１の無線通信部８９から送信されたＰＩＮコードがパーソナルコンピュータ１の無線通信部２８により受信される。
無線通信部２８は、ＰＩＮコードを受信したとき、ステップＳ１６６において、予め用意されているパーソナルコンピュータ１の外観画像を無線通信部８９に送信する。
無線通信部２８から送信された外観画像は、ステップＳ１４６において、無線通信部８９により受信され、ＰＤＡ１１の記憶部８８等に保存される。
無線通信部８９は、ステップＳ１４７において、微弱電力モードによるデータリンクの切断を無線通信部２８に対して要求し、一時的にデータリンクを切断した後、ステップＳ１４８に進み、通常電力モードを設定する。
ＰＤＡ１１のＣＰＵ８１は、ステップＳ１４９において、保存しておいた画像データに基づいて、パーソナルコンピュータ１の外観画像を表示部８６に表示させる。これにより、ユーザは、通常電力モードによりデータリンクを確立する通信相手の端末を予め確認することができる。
例えば、ステップＳ１５０において、表示部８６に表示された外観のパーソナルコンピュータ１に接続することがユーザにより指示されたとき、ステップＳ１５１に進み、無線通信部８９は、通常電力モードによる接続を無線通信部２８に対して要求する。
その要求が無線通信部２８により受信されたとき、通常電力モードによるデータリンクが確立される（Ｓｔａｔｅ  ３）。
以上のように、微弱電力モードによるデータリンクが確立されたときに送信されてきたデータに基づいて、端末の外観画像が表示されるようにすることにより、より確実に、ユーザが所望する通信相手の端末との間で通信を確立させることができる。
なお、以上においては、微弱電力モードによる通信が確立されたときに、通信相手の機器を表す情報として外観画像が送信されるとしたが、それ以外にも、通信相手の機器の名称などの各種の特徴情報が送信され、ユーザに提示されるようにしてもよい。
また、通信相手の機器に関する音声情報が送信され、それに基づく音声案内が出力されるようにすることにより、音声情報が受信された機器に表示部が設けられていない場合であっても、接続する機器に関する情報をユーザに予め提示することが可能となる。
上述した一連の処理は、ハードウェアにより実行させることもできるが、ソフトウェアにより実行させることもできる。
一連の処理をソフトウェアにより実行させる場合には、そのソフトウェアを構成するプログラムが、専用のハードウェアに組み込まれているコンピュータ、または、各種のプログラムをインストールすることで、各種の機能を実行することが可能な、例えば、汎用のパーソナルコンピュータなどに、ネットワークや記録媒体からインストールされる。
この記録媒体は、図２に示されるように、装置本体とは別に、ユーザにプログラムを提供するために配布される、プログラムが記録されている磁気ディスク３０（フロッピディスクを含む）、光ディスク３１（ＣＤ−ＲＯＭ（Ｃｏｍｐａｃｔ  Ｄｉｓｋ−Ｒｅａｄ  Ｏｎｌｙ  Ｍｅｍｏｒｙ），ＤＶＤ（Ｄｉｇｉｔａｌ  Ｖｅｒｓａｔｉｌｅ  Ｄｉｓｋ）を含む）、光磁気ディスク３２（ＭＤ（登録商標）（Ｍｉｎｉ−Ｄｉｓｋ）を含む）、もしくは半導体メモリ３３などよりなるパッケージメディアにより構成されるだけでなく、装置本体に予め組み込まれた状態でユーザに提供される、プログラムが記録されているＲＯＭ２２や記憶部２７などで構成される。
なお、本明細書において、記録媒体に記録されるプログラムを記述するステップは、記載された順序に従って時系列的に行われる処理はもちろん、必ずしも時系列的に処理されなくとも、並列的あるいは個別に実行される処理をも含むものである。
また、本明細書において、システムとは、複数の装置により構成される装置全体を表わすものである。
産業上の利用可能性
以上のように、本発明によれば、ユーザは、自分自身が行った操作の内容を、より好適に確認できる。
【図面の簡単な説明】
図１は、本発明を適用した通信システムの構成例を示す図である。
図２は、図１のパーソナルコンピュータの構成例を示すブロック図である。
図３は、図２のリーダライタの構成例を示すブロック図である。
図４は、図１のＰＤＡの構成例を示すブロック図である。
図５は、図４のリーダライタの構成例を示すブロック図である。
図６Ａは、特徴情報の例を示す図である。
図６Ｂは、特徴情報の他の例を示す図である。
図７は、図１のＰＤＡの処理を説明するフローチャートである。
図８は、図１のパーソナルコンピュータの処理を説明するフローチャートである。
図９は、パーソナルコンピュータの表示例を示す図である。
図１０は、パーソナルコンピュータの他の表示例を示す図である。
図１１は、図１のＰＤＡの他の処理を説明するフローチャートである。
図１２は、特徴情報の他の例を示す図である。
図１３は、図１のパーソナルコンピュータの他の処理を説明するフローチャートである。
図１４は、パーソナルコンピュータのさらに他の表示例を示す図である。
図１５は、パーソナルコンピュータの表示例を示す図である。
図１６は、通信システムの構成例を示す図である。
図１７は、図１６の無線通信部の構成例を示すブロック図である。
図１８は、図１６の通信システムの動作を説明するフローチャートである。
図１９は、図１６の通信システムの他の動作を説明するフローチャートである。
【図１】
2003038629.tif 000003
【図２】
2003038629.tif 000004
【図３】
2003038629.tif 000005
【図４】
2003038629.tif 000006
【図５】
2003038629.tif 000007
【図６Ａ】
2003038629.tif 000008
【図６Ｂ】
2003038629.tif 000009
【図７】
2003038629.tif 000010
【図８】
2003038629.tif 000011
【図９】
2003038629.tif 000012
【図１０】
2003038629.tif 000013
【図１１】
2003038629.tif 000014
【図１２】
2003038629.tif 000015
【図１３】
2003038629.tif 000016
【図１４】
2003038629.tif 000017
【図１５】
2003038629.tif 000018
【図１６】
2003038629.tif 000019
【図１７】
2003038629.tif 000020
【図１８】
2003038629.tif 000021
【図１９】
2003038629.tif 000022
【手続補正書】
【提出日】平成15年4月1日(2003.4.1)
【手続補正１】
【補正対象書類名】明細書
【補正対象項目名】特許請求の範囲
【補正方法】変更
【補正の内容】
【特許請求の範囲】
【請求項１】
削除
【請求項２】
削除
【請求項３】
（補正後）近接された情報処理装置と、第１の無線通信を行う第１の無線通信手段と、
前記情報処理装置と第２の無線通信を行う第２の無線通信手段と
を備え、
前記第１の無線通信手段は、自分自身の特徴を表わす端末特徴情報であって、自分自身の外観を表わす画像が少なくとも含まれる第１の端末特徴情報、および前記第２の無線通信により送信する所定のデータの特徴を表わすデータ特徴情報であって、前記所定のデータのデータ形式を識別する情報が少なくとも含まれているデータ特徴情報、のうちの少なくとも一方と、前記第２の無線通信を前記情報処理装置との間で確立するための通信確立情報を前記情報処理装置に送信し、  前記第２の無線通信手段は、前記情報処理装置との間で前記第２の無線通信を確立する
ことを特徴とする情報処理端末。
【請求項４】
前記第２の無線通信により送信する前記所定のデータが選択されたとき、前記データ特徴情報を生成する生成手段をさらに備える
ことを特徴とする請求の範囲第３項に記載の情報処理端末。
【請求項５】
前記第２の無線通信手段は、前記第２の無線通信を確立した場合、  前記第１の端末特徴情報が前記情報処理装置に送信されているときには、前記第１の端末特徴情報よりもデータ量の大きい第２の端末特徴情報を、前記第２の無線通信により前記情報処理装置に送信し、
前記データ特徴情報が前記情報処理装置に送信されているときには、前記所定のデータを前記第２の無線通信により前記情報処理装置に送信する
ことを特徴とする請求の範囲第３項に記載の情報処理端末。
【請求項６】
削除
【請求項７】
（補正後）近接された情報処理装置と、第１の無線通信を行い、
前記情報処理装置と第２の無線通信を行い、
前記第１の無線通信により、自分自身の特徴を表わす端末特徴情報であって、自分自身の外観を表わす画像が少なくとも含まれる端末特徴情報、および前記第２の無線通信により送信する所定のデータの特徴を表わすデータ特徴情報であって、前記所定のデータのデータ形式を識別する情報が少なくとも含まれているデータ特徴情報、のうちの少なくとも一方と、前記第２の無線通信を前記情報処理装置との間で確立するための通信確立情報を前記情報処理装置に送信し、
前記情報処理装置との間で前記第２の無線通信を確立する
ことを特徴とする情報処理方法。
【請求項８】
（補正後）近接された情報処理装置との間で行われる第１の無線通信を制御し、
前記情報処理装置との間で行われる第２の無線通信を制御し、
前記第１の無線通信による、自分自身の特徴を表わす端末特徴情報であって、自分自身の外観を表わす画像が少なくとも含まれる端末特徴情報、および前記第２の無線通信により送信する所定のデータの特徴を表わすデータ特徴情報であって、前記所定のデータのデータ形式を識別する情報が少なくとも含まれているデータ特徴情報、のうちの少なくとも一方と、前記第２の無線通信を前記情報処理装置との間で確立するための通信確立情報の送信を制御し、
前記情報処理装置との間での前記第２の無線通信の確立を制御する
ことをコンピュータに実行させるプログラム。
【請求項９】
（補正後）近接された情報処理端末と第１の無線通信を行う第１の無線通信手段と、
前記情報処理端末と第２の無線通信を行う第２の無線通信手段と、
前記第１の無線通信手段により行われる前記第１の無線通信により、前記情報処理端末から取得された所定の情報を出力する出力手段と
を備え、
前記第１の無線通信手段は、前記情報処理端末の特徴を表わす端末特徴情報であって、前記情報処理端末の外観を表わす画像が少なくとも含まれる第１の端末特徴情報、および前記第２の無線通信により前記情報処理端末から送信されてくる所定のデータの特徴を表わすデータ特徴情報であって、前記所定のデータのデータ形式を識別する情報が少なくとも含まれているデータ特徴情報、のうちの少なくとも一方と、前記情報処理端末との間で前記第２の無線通信を確立するための通信確立情報を、前記第１の無線通信により前記情報処理端末から取得し、
前記第２の無線通信手段は、前記第１の無線通信手段により取得された前記通信確立情報に基づいて、前記情報処理端末との間で前記第２の無線通信を確立し、
前記出力手段は、前記第１の無線通信手段により取得された前記第１の端末特徴情報、または前記データ特徴情報を出力する
ことを特徴とする情報処理装置。
【請求項１０】
前記第２の無線通信手段は、前記情報処理端末から、前記第１の端末特徴情報よりもデータ量の大きい第２の端末特徴情報が前記第２の無線通信により送信されてきたとき、それを取得し、
前記出力手段は、前記第２の無線通信手段により前記第２の端末特徴情報が取得されたとき、前記第１の端末特徴情報に換えて、前記第２の端末特徴情報を出力する
ことを特徴とする請求の範囲第９項に記載の情報処理装置。
【請求項１１】
前記第２の無線通信手段は、前記情報処理端末から、前記所定のデータが送信されてきたとき、それを取得し、
前記出力手段は、第２の無線通信手段により前記所定のデータが取得されたとき、前記所定のデータを出力する
ことを特徴とする請求の範囲第９項に記載の情報処理装置。
【請求項１２】
（補正後）近接された情報処理端末と第１の無線通信を行い、
前記情報処理端末と第２の無線通信を行い、
前記第１の無線通信により、前記情報処理端末から取得された所定の情報を出力し、
前記情報処理端末の特徴を表わす端末特徴情報であって、前記情報処理端末の外観を表わす画像が少なくとも含まれる端末特徴情報、および前記第２の無線通信により前記情報処理端末から送信されてくる所定のデータの特徴を表わすデータ特徴情報であって、前記所定のデータのデータ形式を識別する情報が少なくとも含まれているデータ特徴情報、のうちの少なくとも一方と、前記情報処理端末との間で前記第２の無線通信を確立するための通信確立情報を、前記第１の無線通信により前記情報処理端末から取得し、
取得された前記通信確立情報に基づいて、前記情報処理端末との間で前記第２の無線通信を確立し、
取得された前記端末特徴情報、または前記データ特徴情報を出力する
ことを特徴とする情報処理方法。
【請求項１３】
（補正後）近接された情報処理端末との間で行われる第１の無線通信を制御し、
前記情報処理端末との間で行われる第２の無線通信を制御し、
前記第１の無線通信により、前記情報処理端末から取得された所定の情報の出力を制御し、
前記情報処理端末の特徴を表わす端末特徴情報であって、前記情報処理端末の外観を表わす画像が少なくとも含まれる端末特徴情報、および前記第２の無線通信により前記情報処理端末から送信されてくる所定のデータの特徴を表わすデータ特徴情報であって、前記所定のデータのデータ形式を識別する情報が少なくとも含まれているデータ特徴情報、のうちの少なくとも一方と、前記情報処理端末との間で前記第２の無線通信を確立するための通信確立情報を、前記第１の無線通信により前記情報処理端末から取得することを制御し、
取得された前記通信確立情報に基づいて、前記情報処理端末との間の前記第２の無線通信の確立を制御し、
取得された前記端末特徴情報、または前記データ特徴情報の出力を制御する
ことをコンピュータに実行させるプログラム。
【請求項１４】
（追加）前記第１の無線通信は、電磁波を介して行われる無線通信、または、微弱電力モードにおける無線通信、のうちのいずれかの無線通信である
ことを特徴とする請求の範囲第３項に記載の情報処理端末。
【国際調査報告】
2003038629.tif 000023
2003038629.tif 000024
2003038629.tif 000025
2003038629.tif 000026